(57)【要約】【課題】  従来の平面二次元的マスクは、三次元の顔の凹凸には、次元の違いでピッタリフィットしないので、マスクを三次元的な錐形立体にしてピッタリフィットするものを得る。【解決手段】  同一の表地１と裏地２の菱形様マスク生地をピッタリ重ねて、その天の低い山を成す二辺部分を一体化して錐形立体にできるように成し、その山の対角部分に耳掛ゴム４を装着し、鼻に当たる部分にノーズフィット５を装着したもので、菱形様マスク生地の天の低い山を成す二辺をアールにした錐形立体と成すこともでき、また菱形様マスク生地を二等辺三角形様マスク生地や円弧形様マスク生地にして、その二辺部分や円弧部分を一体化して錐形立体にできるように成し、その左右端部に耳掛ゴム４を装着して、鼻に当たる部分にノーズフィット５を装着することもでき、また複数枚生地を一体化した表地１と裏地２とすることもでき、ノーズフィット５を装着しないものとすることもできる。【選択図】  図１
0003110860.tif 000002
【実用新案登録請求の範囲】
【請求項１】
同一の表地１と裏地２の菱形様マスク生地をピッタリ重ねて、その天の低い山を成す二辺部分を一体化して錐形立体にできるように成し、その山の対角部分に耳掛ゴム４を装着し、鼻に当たる部分にノーズフィット５を装着した錐形立体衛生マスク。
【請求項２】
菱形様マスク生地を二等辺三角形様マスク生地にして、その二等辺部分を一体化して錐形立体にできるように成し、その左右端部に耳掛ゴム４を装着し、鼻に当たる部分にノーズフィット５を装着した、請求項１記載の錐形立体衛生マスク。
【請求項３】
二等辺三角形様マスク生地を円弧形様マスク生地にして、その円弧部分を一体化して錐形立体にできるように成した、請求項２記載の錐形立体衛生マスク。
【請求項４】
複数枚生地を重ねて一体化した表地１と裏地２を用いる、請求項１−３いずれかに記載の錐形立体衛生マスク。
【請求項５】
ノーズフィット５を装着しない、請求項１−４いすれがに記載の錐形立体衛生マスク。
【考案の詳細な説明】
【技術分野】
【０００１】  本考案は、顔にピッタリフィットし、唾液飛沫・花粉・ウィルス等が、侵入・放出しにくいようにするための衛生マスクに開する。
【背景技術】
【０００２】  従来の衛生マスクにおいては、四角形生地のマスクや、四角形生地をジャバラ状にしたマスクや、生地を立体的に加工したものが知られる。
【考案の開示】
【考案が解決しようとする課題】
【０００３】  従来の衛生マスクにあっては、いすれも平面生地を顔の凹凸立体に無理に合わすものなので、どうしてもスキ間を生じ、また立体的マスクにしても形が一定なので、顔の形状がマスクの立体に合わなければスキ間を生じる問題点があった。
【課題を解決するための手段】
【０００４】  上記問題点を解決するために、本考案の衛生マスクにおいては、三次元の顔に対して三次元の錐形立体マスクにすることにより、同次元によるより良好なフィット性を得るものである。【０００５】  そのために、同一の表地１と裏地２の菱形様マスク生地をピッタリ重ねて、その天の低い山を成す二辺部分を一体化して錐形立体にできるように成し、その山の対角部分に耳掛ゴム４を装着し、鼻に当たる部分にノーズフィット５を装着したものである。【０００６】  また、菱形様マスク生地を二等辺三角形様や円弧形様マスク生地にして、その二等辺部分や円弧部分を一体化して錐形立体にできるように成し、その左右端部に耳掛ゴム４を装着し、鼻に当たる部分にノーズフィット５を装着することもできる。【０００７】  また、花粉やウィルス等を通さな不織布や、殺菌作用のある布・不織布等を間に挟んだりして複数枚生地にして重ね、その開口直線部分を一体化したり、全体をスポット状等に一体化した表地１と裏地２を用いることもできる。【０００８】  また、ノーズフィット５を装着しない簡易的なものとすることもできる。
【考案の効果】
【０００９】  本考案は、以上説明したように構成されているので、以下に記載されるような効果を奏する。【００１０】  マスクを表地１と裏地２の底開口部で開口すると、三次元の錐形立体になるため、同次元の顔にピッタリ添ってフィットする効果がある。【００１１】  また、錐形立体マスクとなるため、口周りに均一に添ってフィットし、従来マスクのように一部分に強い圧力がかからないので、マスクの掛心地がソフトで楽な効果がある。【００１２】  さらに、超微物カットや殺菌効果等のあるマスク生地で、複数枚生地にした表地１や裏地２を用いたものでは、花粉やウィルス等を通さず殺菌できる等の効果が一層倍加する。【００１３】  また、ノーズフィット５を装着したものでは、凹凸の激しい鼻周りをより一層ピッタリフィットできるので、ほぼ完全に口・鼻周りを塞ぐこができる効果がある。
【考案を実施するための最良の形態】
【００１４】  図１−３において、同一の表地１と裏地２は、顔にほど良く添うように菱形の天山を少し低くしており、さらに不織布製のマスク生地を用い、これらをピッタリ重ね合わせて天山を成す二辺部分を溶融着３して一体化し、錐形立体にできるマスク本体を成している。【００１５】  その際、図１−３において、前記の不織布は、ポリプロピレン製等の熱で溶融着できる不織布を用いることにより、ヒートシールや熱溶断や超音波シール等の方法で溶融着して一体化することができる。【００１６】  さらに、図１−３において、マスク本体の天山の対角部分に、溶融着できるポリプロピレン製布ゴム等で、耳に掛けられるように輪状にした耳掛ゴム４を、溶融着３して装着している。【００１７】  さらに、図１−３において、マスク本体の鼻に当たる部分に、形状記憶ポリマーや針金入テープやプラスチックワイヤー等を用いた、ノーズフィット５を表面に装着している。
【実施例】
【００１８】  図４・５に示される実施例では、前記の菱形様不織布マスク生地を、二等辺三角形様不織布マスク生地や円弧形様不織布マスク生地にして表地１と裏地２をピッタリ重ね合わして、図４では二等辺部分を、図５では円弧部分を溶融着３して、それぞれ一体化して錐形立体にできるように成し、前記同様仕様でそれらの左右端部に耳掛ゴム４を溶融着３し、鼻に当たる部分にノーズフィット５を装着したものである。【００１９】  また、図１−５において、それぞれのマスク生地は、各角をアールにしたり直線カットして角落としをした形にすることもでき、特に図１−３においては、鼻に当たる角をアールにカットすると、良好に鼻にフィットし、また錐形立体を成せれば、どのような形のマスク生地とすることもできる。【００２０】また、図１−５において、不織布を用いすに布や紙等を用いて、縫製や接着等で一体化することもでき、耳掛ゴム４は溶融着３で装着せずに、他の方法で装着することもでき、ノーズフィット５は、表地１と裏地２を複数枚生地にした場合、生地の間に装着することもでき、また所望の形にしたり、装着しない簡易的なものとすることもできる。【００２１】  また、図１−５において、表地１と裏地２は、同一の不織布・布を重ねたり、花粉やウィルス等を通さない不織布や、殺菌作用のある布・不織布等を間に挟んで、複数枚重ねたものをマスク開口直線部で一体化するが、全体にスポット溶融着等で一体化して用いることもできる。
【産業上の利用可能性】
【図面の簡単な説明】
【００２２】
【図１】  菱形様マスク生地を用いた、錐形立体衛生マスクを示した正面図である。
【図２】  図１の錐形立体衛生マスクを示した平面図である。
【図３】  図１の錐形立体衛生マスクを示した底面図である。
【図４】  二等辺三角形様マスク生地を用いた、錐形立体衛生マスクを示した正面図である。
【図５】  円弧形様マスク生地を用いた、錐形立体衛生マスクを示した正面図である。
【符号の説明】
【００２３】１  表地
２  裏地
３  溶融着
４  耳掛ゴム
５  ノーズフィット
【図１】
0003110860.tif 000003
【図２】
0003110860.tif 000004
【図３】
0003110860.tif 000005
【図４】
0003110860.tif 000006
【図５】
0003110860.tif 000007
【手続補正書】
【提出日】平成16年10月29日(2004.10.29)
【手続補正１】
【補正対象書類名】実用新案登録請求の範囲
【補正対象項目名】請求項４
【補正方法】変更
【補正の内容】
【請求項４】
菱形様マスク生地の天の低い山を成す二辺をアールにして、そのアール部分を一体化して錐形立体にできるように成した、請求項１記載の錐形立体衛生マスク。
【手続補正２】
【補正対象書類名】実用新案登録請求の範囲
【補正対象項目名】請求項５
【補正方法】変更
【補正の内容】
【請求項５】
複数枚生地を重ねて一体化した表地１と裏地２を用いる、請求項１−４いずれかに記載の錐形立体衛生マスク。
【手続補正３】
【補正対象書類名】明細書
【補正対象項目名】０００８
【補正方法】変更
【補正の内容】
【０００８】      また、菱形様マスク生地の天の低い山を成す二辺をアールにして、そのアール部分を一体化して錐形立体にできるように成し、そのアール部分の対角部分に耳掛ゴム４を装着し、鼻に当たる部分にノーズフィット５を装着することもでき、前記全ての衛生マスクにおいて、ノーズフィット５を装着しないものとすることもできる。
【手続補正４】
【補正対象書類名】明細書
【補正対象項目名】００１９
【補正方法】変更
【補正の内容】
【００１９】      また、図１−６において、それぞれのマスク生地は、各角をアールにしたり直線カットして角落としをした形にすることもでき、特に図１−３においては、鼻に当たる菱形様マスク生地の天の低い山を成す二辺を、図６のようにアールにカットすると、良好に鼻にフィットするものに成すこともでき、また錐形立体を成す他の形とすることもできる。
【手続補正５】
【補正対象書類名】明細書
【補正対象項目名】００２０
【補正方法】変更
【補正の内容】
【００２０】  また、図１−６において、不織布を用いずに布や紙等を用いて、縫製や接着等で一体化することもでき、耳掛ゴム４は、他の方法で装着することもでき、ノーズフィット５は、表地１と裏地２を複数枚生地にした場合、生地の間に装着することもでき、また所望の形にしたり、装着しない簡易的なものとすることもできる。
【手続補正６】
【補正対象書類名】明細書
【補正対象項目名】００２１
【補正方法】変更
【補正の内容】
【００２１】  また、図１−６において、表地１と裏地２は、同一の不織布・布を重ねたり、花粉やウィルス等を通さない不織布や、殺菌作用のある布・不織布等を間に挟んで、複数枚重ねたものをマスク開口直線部で一体化するが、全体にスポット溶融着等で一体化して用いることもできる。
【手続補正７】
【補正対象書類名】明細書
【補正対象項目名】図６
【補正方法】追加
【補正の内容】
【図６】
図１の菱形の天山を成す二辺をアールにした錐形立体衛生マスクを示した正面図である。
【手続補正８】
【補正対象書類名】図面
【補正対象項目名】図６
【補正方法】追加
【補正の内容】
【図６】
0003110860.tif 000008
【手続補正書】
【提出日】平成17年4月1日(2005.4.1)
【手続補正１】
【補正対象書類名】手続補正書
【補正対象項目名】手続補正７
【補正方法】変更
【補正の内容】
【手続補正７】
【補正対象書類名】明細書
【補正対象項目名】００２２
【補正方法】変更
【補正の内容】
【００２２】
【図１】  菱形様マスク生地を用いた、錐形立体衛生マスクを示した正面図である。
【図２】  図１の錐形立体衛生マスクを示した平面図である。
【図３】  図１の錐形立体衛生マスクを示した底面図である。
【図４】  二等辺三角形様マスク生地を用いた、錐形立体衛生マスクを示した正面図である。
【図５】  円弧形様マスク生地を用いた、錐形立体衛生マスクを示した正面図である。
【図６】  図１の菱形の天山を成す二辺をアールにした錐形立体衛生マスクを示した正面図である。